(57)【要約】【課題】意匠性に優れ、顧客吸引性に優れ、また、使用に際しても、取出しが容易で、収容体が乱れることなく美麗な状態を維持することのできる小袋収容箱及び小袋収容体の提供。【解決手段】硬質のシート２からなる直方体状箱体３ａの中央部に、箱体の開裂を可能とする破断部４が箱体３ａを横断する方向に箱体３ａの３面に亘って形成された小袋収容箱３であり、好ましくは、前記破断部４が、ミシン目又はノッチの刻設によって形成されてなることを特徴とする小袋収容箱。【選択図】    図２
2007153392.tif 000002
【特許請求の範囲】
【請求項１】
硬質のシートからなる直方体状の箱体中央部に、箱体の開裂を可能とする破断部が箱体を横断する方向に箱体の３面に亘って形成されてなることを特徴とする小袋収容箱。
【請求項２】
破断部が、ミシン目又はノッチの刻設によって形成されてなる請求項１に記載の小袋収容箱。
【請求項３】
破断部が、２本のミシン目又はノッチが平行に形成され、その中央部を引裂き可能に形成されてなる請求項１に記載の小袋収容箱。
【請求項４】
破断部が、箱体の内面に糸条を添着し、糸条の先端を箱体外部に引出してなる請求項１に記載の小袋収容箱。
【請求項５】
箱体の背面に、一方が箱体に連結し、先端部に系止部が形成された帯状の連結片を、引裂くことによって引出すことが可能な形状にミシン目又はノッチが刻設され、系止部の形成側に距離を置いて連結片の系止部が嵌合して系止することが可能な切り込みが穿設されてなる請求項１から４のいずれかに記載の小袋収容箱。
【請求項６】
請求項１から５のいずれかに記載の小袋収容箱に、積み重ねられた小袋を装填してなる小袋収容体。
【発明の詳細な説明】
【技術分野】
【０００１】
本発明は、小袋を収容し、輸送、販売に供することができ、使用に際しては、収容された小袋を乱すことなく容易に取り出して使用することが可能な小袋収容箱及びそれに小袋を収容した小袋収容体に関する。
【背景技術】
【０００２】
ポリエチレン、ポリプロピレン、塩化ビニル等の熱可塑性樹脂フィルムからなる小袋は、耐水性を有し、衛生的なことから、家庭あるいはスーパーマーケット等の小売店等において広く使用されるに至っている。
【０００３】
これらの熱可塑性樹脂製の小袋は、一般に、必要枚数を積重ねて、これを他の熱可塑性樹脂製の袋に詰めて供給、販売が行われている。
【０００４】
しかし、熱可塑性樹脂フィルムからなる小袋は柔軟で保形性がないため、それを熱可塑性樹脂フィルムからなる収容袋に詰めた場合、輸送等の取扱い中に小袋が折れ曲がって偏より、嵩ばったり、不体裁となる問題がある。
【０００５】
また、使用中にも、収容形態が乱れ易く、特に、２枚以上が重なって取り出されてきた場合、使用しない小袋を収容袋に戻そうとすると、収容袋内の小袋が折れ曲がって奥に押し込まれ乱雑となる。
【０００６】
このため、意匠性に優れ、また、使用に際しても、取出しが容易で、また、収容状態に乱れが生じることがなく、体裁よく、最後の一枚まで無駄にすることのない小袋収容箱及び小袋収容体の開発が要請されている。
【発明の開示】
【発明が解決しようとする課題】
【０００７】
本発明は、意匠性に優れ、顧客吸引性に優れ、また、使用に際しても、取出しが容易で、収容体が乱れることなく端正な状態を維持することのできる小袋収容箱及び小袋収容体を提供するものである。
【課題を解決するための手段】
【０００８】
本発明は、かかる課題を解決するために、鋭意検討した結果なされたもので、具体的には、硬質のシートからなる直方体状の箱体中央部に、箱体の開裂を可能とする破断部が箱体を横断する方向に箱体の３面に亘って形成されてなることを特徴とする小袋収容箱を提供するものである。
【０００９】
また、本発明は、破断部がミシン目又はノッチの刻設によって形成されてなる上記の小袋収容箱、破断部が２本のミシン目又はノッチが平行に形成され、その中央部を引裂き可能に形成されてなる上記の小袋収容箱、破断部が箱体の内面に糸条を添着し、糸条の先端を箱体外部に引出してなる上記の小袋収容箱、箱体の背面に、一方が箱体に連結し、先端部に系止部が形成された帯状の連結片を、引裂くことによって引出すことが可能な形状にミシン目又はノッチが刻設され、系止部の形成側に距離を置いて連結片の系止部が嵌合して系止することが可能な切り込みが穿設されてなる上記の小袋収容箱、及び、上記のいずれかの小袋収容箱に、積み重ねられた小袋を装填してなる小袋収容体を提供するものである。
【発明の効果】
【００１０】
本発明の小袋収容体は、中央部を開裂して屈曲せしめた状態で立設すれば、箱体の中央部が開口し、小袋の中央部が開放されるため、使用に際しては、この開口部から小袋の中央部を摘んで取出すことができ、また、収容された小袋は、中央部が収容箱で支持され、両端は垂れ下がるから、重力によって引伸ばされ、皺が生じることがなく、また、美観を損なうことなく、最後の一枚まで使用することができる。
【発明を実施するための最良の形態】
【００１１】
本発明は、図１に示すように、硬質のシート２からなる直方体状の箱体３ａを有し、この箱体３ａの中央部に、箱体３ａの開裂を可能とする破断部４が箱体を横断する方向に箱体３ａの３面に亘って形成されることによって、小袋収容箱３が形成されており、これに小袋１１を積み重ねた状態で装填することによって小袋収容体１が構成される。
【００１２】
小袋収容箱３を形成する硬質のシートとしては、小袋収容箱３が保形性を有するような材料であればいかなる材料であってもよいが、開裂性を考慮すれば、紙、高密度ポリエチレン、ポリプロピレン、ポリエステル、ポリ塩化ビニル、ポリカーボネート、ポリメチルメタアクリレート、ＡＢＳ樹脂等の熱可塑性樹脂が好ましい。
【００１３】
シート２の厚さは保形性を有する程度であればよく、また、箱を形成するためのシートの裁断構造あるいはそれに基づく組立て構造は直方体状の小袋収容箱３が得られるものであればいかなる構造であってもよい。
【００１４】
本発明の小袋収容箱３は、中央部に、小袋収容箱３の３面に亘って破断部４が形成される。
【００１５】
破断部４は、小袋収容箱１を開裂して小袋収容箱１を背面側に折曲げることができるようにするもので、図１に示すように、小袋収容箱３を横断する方向に形成される。
【００１６】
破断部４の形成は、図３（Ａ）に示すように、ミシン目４ａを形成することによって行うことができ、また、図３（Ｂ）に示すように、ノッチ４ｂを刻設することによって行うことがきる。さらに、図４に示すように、ミシン目４ａ、あるいは、ノッチ４ｂを近接して平行に２本刻設することによって、その中間部５を引裂いて取り除く方式とすることができる。図４は、ミシン目４ａを平行に刻設して引裂き片５を形成したもので、先端部５ａを摘んで引き上げることによって、ミシン目４ａを引裂いて引裂き片５を除去し、小袋収容箱３を開裂できるようにしたものである。
【００１７】
さらに、図５に示すように、小袋収容箱３の壁体の内面に、糸状体６を添着してその先端６ａを外方に引出すことによって、糸状体６を引いて小袋収容箱３を切断して開裂するようにすることができる。
【００１８】
なお、小袋収容箱３を製造する際、接着が行われてシートが二重になった部分に破断部４を形成する場合、重なった状態でミシン目４ａを形成することによって、開裂可能にすることができるが、図６に示すように、予め内壁となる部分に切欠き７を形成しておくことも有力な方法である。内壁となる部分に切欠き７を形成することによって、使用に際して小袋収容箱３を破断することが容易となる。
【００１９】
本発明においては、小袋収容箱３の背面側には、小袋収容箱３を折曲げた状態を固定化して、小袋収容箱３を立設したときに安定化させることができ、また有力な方法である。例えば、図７に示すように、小袋収容箱３の背面側壁に、端部から、間隔を置いて２本の平行するミシン目又はノッチを長さ方向中央に向かって刻設して切出し線９を形成し、帯状部８ａを形成すると共に、その先端を拡幅して系止部８ｂを画成して、破断することによって連結片８を引出せるようにすると共に、系止部８ｂ側に距離をおいて連結片８の先端を挿入可能な系止溝１０を穿設する。
【００２０】
小袋収容箱３には、図１に示すように、小袋１１が積み重ねられた状態で収容されて小袋収容体１が構成される。小袋１１を形成する材料は特に制限はなく、包装用の袋として一般に使用される材料を広く使用することができる。具体的には、例えば、高圧法低密度ポリエチレン、線状低密度ポリエチレン、高密度ポリエチレン、ポリプロピレン、エチレン・プロピレン共重合体、エチレン・酢酸ビニル共重合体等のポリオレフィン、ポリエチレンテレフタレート、ポリブチレンテレフタレート等のポリエステル、ナイロン６、ナイロン６６等のポリアミド等を用いることができる。また、アルミニウム蒸着ポリプロピレン等の複合体を使用することができる。中でも、経済性、耐水性、ガスバリアー性等からポリオレフィンあるいはポリアミドが望ましい。
【００２１】
これら熱可塑性樹脂には、目的に応じて各種の添加剤を添加することができる。具体的には、フェノール系、有機ホスファイト系などの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；無機、有機充填剤、金属イオン系などの無機、有機抗菌剤、可塑剤等が挙げられる。
【００２２】
これら添加剤は、適宜組み合わせて材料組成物を製造する工程で配合される。添加剤の配合は、従来の公知の二軸スクリュー押出機、バンバリーミキサー、ニーダーミキシングロール等の混練装置を用いて所定割合に混合して、これを溶融混練して調製してもよいし、高濃度のいわゆるマスターバッチを作製し、これを希釈して使用するようにしてもよい。
【００２３】
小袋１１を形成するための熱可塑性樹脂フィルムの成形は、Ｔダイによる押し出し成形法、インフレーション成形法、カレンダー成形法等を使用材料と目的から選択して実施することができる。インフレーション成形法により筒状のフィルムとしたときは底シールを形成して小袋１１とし、Ｔダイによる押し出し成形法あるいはカレンダー成形法を用いてフラットなフィルムとしたときは２枚を重ねて三方をヒートシールすることによって小袋１１とされる。
【００２４】
小袋１１を形成する熱可塑性樹脂フィルムの厚さは目的に応じて任意に選定することができるが、一般的には、５〜５０μｍ、好ましくは５〜３０μｍ程度である。
【００２５】
本発明小袋収容箱３を使用する際は、図１に示すように、小袋収容箱３に小袋１１が積み重ねられて装填され、封止されて供給、販売が行われる。
【００２６】
小袋１１を使用するに際しては、小袋収容箱１の破断部４を爪等で引裂いて小袋収容箱３の３面を切断して小袋収容箱３を中央部で開裂し、図２に示すように、背面を内側として折り返すと共に、小袋収容箱３の背面に形成された連結片８の切出し線９を切断して連結片８を引出しその先端の系止部８ｂを系止溝１０に挿入して系止し、小袋収容箱１の屈曲状態を固定する。
【００２７】
これを台上に立設すれば、図２に示すように、小袋１１の中央部が開放されて、指で摘んで一枚ずつ取り出すことができる。
【産業上の利用可能性】
【００２８】
本発明は、指で摘んで一枚ずつ取り出すことができるから、家庭、スーパーマーケット等の小売店に設置して利用することができる。
【図面の簡単な説明】
【００２９】
【図１】本発明小袋収容箱の例を示す斜視図
【図２】本発明小袋収容箱の使用状態を示す斜視図
【図３】本発明小袋収容箱の破断部の例を示す斜視図
【図４】本発明小袋収容箱の破断部の形成の他の例を示す斜視図
【図５】本発明小袋収容箱の破断部の形成のさらに他の例を示す一部切欠斜視図
【図６】本発明小袋収容箱の破断部の形成のさらに他の例を示す一部切欠斜視図
【図７】本発明小袋収容箱の例を示す斜視図
【符号の説明】
【００３０】
１：小袋収容体
２：硬質のシート
３：小袋収容箱
３ａ：箱体
４：破断部
５：引裂き片
６：糸状体
７：切欠き
８：連結片
８ａ：帯状部
８ｂ：系止部
９：切出し線
１０：系止溝
１１：小袋
【図１】
2007153392.tif 000003
【図２】
2007153392.tif 000004
【図３】
2007153392.tif 000005
【図４】
2007153392.tif 000006
【図５】
2007153392.tif 000007
【図６】
2007153392.tif 000008
【図７】
2007153392.tif 000009